(57)【要約】【課題】所望撮像断面あるいは所望画像データの撮像におけるカバレージ及びプリサチュレーション領域の確認を容易に行なう。【解決手段】パイロット撮像による位置決め用画像データを用いて生成されたスキャンプランデータ（図５（ａ））に基づいて複数の撮像断面における診断用画像データを複数のカバレージに分割して収集する際、各カバレージにおける撮像断面及びプリサチュレーション領域をカバレージデータ（図５（ｂ））として観察することにより、スキャンプランデータに示された所望撮像断面の撮像におけるカバレージ及びプリサチュレーション領域の確認を診断用画像データの収集を目的とした本撮像の前に行ない、更に、この本撮像によって収集された所望診断用画像データの撮像におけるカバレージ及びプリサチュレーション領域の確認を本撮像の後に行なう。【選択図】図５
2008167977.tif 000002
【特許請求の範囲】
【請求項１】
被検体に対するパイロット撮像によって得られた位置決め用画像データに対して複数の
撮像断面を設定し、この撮像断面の位置情報に基づいた本撮像により診断用画像データの
生成とその表示を行なうＭＲＩ装置において、
予め設定された撮像条件に基づいて前記複数の撮像断面を複数の撮像範囲（カバレージ）
に区分するカバレージ設定手段と、
前記カバレージの各々における撮像断面及びこの撮像断面の撮像において設定されたプリ
サチュレーション領域の情報を含むカバレージデータをカバレージ単位で生成するカバレ
ージデータ生成手段と、
このカバレージデータ生成手段が生成した複数の前記カバレージデータの中から選択され
た所望のカバレージのカバレージデータあるいは所望の撮像断面が含まれるカバレージの
カバレージデータを表示する表示手段とを
備えたことを特徴とするＭＲＩ装置。
【請求項２】
前記位置決め用画像データの関心領域に対して設定された前記複数の撮像断面の情報を
含むスキャンプランデータを生成するスキャンプランデータ生成手段と、前記スキャンプ
ランデータに対して所望のカバレージあるいは所望の撮像断面を選択する選択手段を備え
たことを特徴とする請求項１記載のＭＲＩ装置。
【請求項３】
被検体に対するパイロット撮像によって得られた位置決め用画像データに対して複数の
撮像断面を設定し、この撮像断面の位置情報に基づいた本撮像により診断用画像データの
生成とその表示を行なうＭＲＩ装置において、
予め設定された撮像条件に基づいて前記複数の撮像断面を複数の撮像範囲（カバレージ）
に区分するカバレージ設定手段と、
前記カバレージの各々における撮像断面及びこの撮像断面の撮像において設定されたプリ
サチュレーション領域の情報を含むカバレージデータをカバレージ単位で生成するカバレ
ージデータ生成手段と、
前記位置決め用画像データに対して設定した前記複数の撮像断面における複数の前記診断
用画像データの中から所望の診断用画像データを選択する画像データ選択手段と、
選択された前記診断用画像データの撮像断面が含まれるカバレージのカバレージデータを
表示する表示手段とを
備えたことを特徴とするＭＲＩ装置。
【請求項４】
前記表示手段は、前記カバレージデータと前記複数の診断用画像データを同時表示する
ことを特徴とする請求項３記載のＭＲＩ装置。
【請求項５】
前記画像データ選択手段は、前記表示手段によって表示された前記複数の診断用画像デ
ータの中から前記所望の診断用画像データを選択することを特徴とする請求項４記載のＭ
ＲＩ装置。
【請求項６】
前記位置決め用画像データの関心領域に対して設定した前記複数の撮像断面の情報を含
んだスキャンプランデータを生成するスキャンプランデータ生成手段を備え、前記表示手
段は、前記カバレージデータ及び前記スキャンプランデータの少なくとも何れかを表示す
ることを特徴とする請求項１又は請求項３に記載したＭＲＩ装置。
【請求項７】
前記カバレージの撮像断面に対するプリサチュレーション領域の設定モードを選択する
ＰＳ領域設定モード選択手段を備え、前記カバレージデータ生成手段は、前記ＰＳ領域設
定モード選択手段が選択した設定モードに基づく前記プリサチュレーション領域の情報を
含んだ前記カバレージデータを生成することを特徴とする請求項１又は請求項３に記載し
たＭＲＩ装置。
【請求項８】
前記ＰＳ領域設定モード選択手段は、前記プリサチュレーション領域の設定モードとし
てフリーハンドモードあるいはスペイシャルモードの何れかを選択することを特徴とする
請求項７記載のＭＲＩ装置。
【請求項９】
前記カバレージ設定手段は、前記撮像条件として設定された少なくともパルスシーケン
ス繰り返し周期（ＴＲ）、撮像断面数及び各撮像断面におけるＭＲ信号の収集時間に基づ
いて前記カバレージを設定することを特徴とする請求項１又は請求項３に記載したＭＲＩ
装置。
【発明の詳細な説明】
【技術分野】
【０００１】
本発明はＭＲＩ装置に係り、特に、ＭＲＩ撮像のスキャンプランにおいて撮像断面やプ
リサチュレーション領域の設定を行なうＭＲＩ装置に関する。
【背景技術】
【０００２】
磁気共鳴イメージング法（ＭＲＩ）は、静磁場中に置かれた被検体組織の原子核スピン
を、そのラーモア周波数をもつ高周波信号（ＲＦパルス）で励起し、この励起に伴って発
生する磁気共鳴信号（ＭＲ信号）から画像データを再構成するイメージング法である。
【０００３】
ＭＲＩ装置は、生体内から検出されるＭＲ信号に基づいて画像データを生成する画像診
断装置であり、解剖学的診断情報のみならず生化学的情報や機能診断情報など多くの診断
情報を得ることができるため、今日の画像診断の分野では不可欠なものとなっている。特
に、近年では、複数の撮像断面に対するＭＲ信号の短時間収集が可能な各種高速撮像法が
開発され、心臓等の動きの激しい臓器に対しても良質な画像データの生成が可能になりつ
つある。
【０００４】
ところで、ＭＲＩ撮像では、ＭＲ信号の収集に先行して特定領域（以下では、プリサチ
ュレーション領域と呼ぶ。）における原子核スピンを選択的に飽和させることにより体動
や血流等に起因するアーチファクトや信号の折り返りを低減する方法が開発されている。
そして、パイロット撮像によって得られた位置決め用画像データを用いて本撮像における
撮像条件を設定する際、この位置決め用画像データに対して撮像断面やプリサチュレーシ
ョン領域の設定が行なわれる（例えば、特許文献１参照。）。
【０００５】
このような高速撮像法を適用し被検体の関心領域における複数の撮像断面に対してＭＲ
信号の収集と画像データの生成を行なう場合、例えば、前記複数の撮像断面におけるＭＲ
信号の収集繰り返し時間がこの撮像に使用されるパルスシーケンスの繰り返し時間より長
い場合には、これらの撮像断面を複数の撮像範囲（以下では、カバレージと呼ぶ。）に区
分し、夫々のカバレージに対し上述のパルスシーケンスを適用してＭＲＩ撮像が行なわれ
る。
【特許文献１】特開２００３−２９０１７１号公報
【発明の開示】
【発明が解決しようとする課題】
【０００６】
本撮像における撮像条件の設定は、通常、上述の位置決め用画像データの関心領域に複
数の撮像断面が設定され、更に、前記関心領域の周囲に１つあるいは複数のプリサチュレ
ーション領域が設定されたスキャンプランデータに基づいて行なわれており、実際のＭＲ
Ｉ撮像の単位となるカバレージの情報や複数のカバレージの各々に対して実際に設定され
るプリサチュレーション領域の情報を前記スキャンプランデータから得ることは不可能で
あった。このため、本撮像前あるいは本撮像後における撮像条件の確認やこの撮像条件に
基づく画像データの分析を正確に行なうことができないという問題点を有していた。
【０００７】
本発明は、上述の問題点に鑑みてなされたものであり、その目的は、被検体の関心領域
に対するＭＲＩ撮像のスキャンプランにて設定された複数のカバレージにおける撮像断面
やプリサチュレーション領域をカバレージ単位で表示することが可能なＭＲＩ装置を提供
することにある。
【課題を解決するための手段】
【０００８】
上記課題を解決するために、請求項１に係る本発明のＭＲＩ装置は、被検体に対するパ
イロット撮像によって得られた位置決め用画像データに対して複数の撮像断面を設定し、
この撮像断面の位置情報に基づいた本撮像により診断用画像データの生成とその表示を行
なうＭＲＩ装置において、予め設定された撮像条件に基づいて前記複数の撮像断面を複数
の撮像範囲（カバレージ）に区分するカバレージ設定手段と、前記カバレージの各々にお
ける撮像断面及びこの撮像断面の撮像において設定されたプリサチュレーション領域の情
報を含むカバレージデータをカバレージ単位で生成するカバレージデータ生成手段と、こ
のカバレージデータ生成手段が生成した複数の前記カバレージデータの中から選択された
所望のカバレージのカバレージデータあるいは所望の撮像断面が含まれるカバレージのカ
バレージデータを表示する表示手段とを備えたことを特徴としている。
【０００９】
又、請求項３に係る本発明のＭＲＩ装置は、被検体に対するパイロット撮像によって得
られた位置決め用画像データに対して複数の撮像断面を設定し、この撮像断面の位置情報
に基づいた本撮像により診断用画像データの生成とその表示を行なうＭＲＩ装置において
、予め設定された撮像条件に基づいて前記複数の撮像断面を複数の撮像範囲（カバレージ
）に区分するカバレージ設定手段と、前記カバレージの各々における撮像断面及びこの撮
像断面の撮像において設定されたプリサチュレーション領域の情報を含むカバレージデー
タをカバレージ単位で生成するカバレージデータ生成手段と、前記位置決め用画像データ
に対して設定した前記複数の撮像断面における複数の前記診断用画像データの中から所望
の診断用画像データを選択する画像データ選択手段と、選択された前記診断用画像データ
の撮像断面が含まれるカバレージのカバレージデータを表示する表示手段とを備えたこと
を特徴としている。
【発明の効果】
【００１０】
本発明によれば、被検体の関心領域に対するＭＲＩ撮像のスキャンプランにて設定され
た複数のカバレージにおける撮像断面やプリサチュレーション領域をカバレージ単位で表
示することが可能となる。このため、各カバレージの撮像における撮像断面やプリサチュ
レーション領域の把握あるいは所望撮像断面の撮像に対するカバレージやプリサチュレー
ション領域の把握が容易となり、効率のよい検査や画像分析等が可能となる。
【発明を実施するための最良の形態】
【００１１】
以下、図面を参照して本発明の実施例を説明する。
【実施例】
【００１２】
以下に述べる本発明の実施例におけるＭＲＩ装置では、パイロット撮像による位置決め
用画像データを用いて生成されたスキャンプランデータに基づいて複数の撮像断面におけ
る診断用画像データを複数のカバレージに分割して収集する際、各カバレージにおける撮
像断面及びプリサチュレーション領域をカバレージデータとして観察することにより、ス
キャンプランデータに示された所望撮像断面の撮像におけるカバレージ及びプリサチュレ
ーション領域の確認を診断用画像データの収集を目的とした本撮像の前に行ない、更に、
この本撮像によって収集された所望診断用画像データの撮像におけるカバレージ及びプリ
サチュレーション領域の確認を本撮像の後に行なう。
【００１３】
（装置の構成）
本発明の実施例におけるＭＲＩ装置の構成につき図１乃至図７を用いて説明する。尚、
図１は、本実施例におけるＭＲＩ装置の全体構成を示すブロック図であり、図２は、この
ＭＲＩ装置が備える入力部と撮像位置データ生成部の機能ブロック図である。
【００１４】
図１に示したＭＲＩ装置５００は、被検体１５０に対して磁場を発生する静磁場発生部
１及び傾斜磁場発生部２と、被検体１５０に対しＲＦパルスの照射とＭＲ信号の受信を行
なう送受信部３と、被検体１５０を載置する天板４と、この天板４を被検体１５０の体軸
方向（ｚ軸方向）へ移動する天板移動機構部５を備えている。
【００１５】
又、ＭＲＩ装置５００は、送受信部３において受信されたＭＲ信号を再構成処理して画
像データを生成する画像データ生成部６と、撮像パラメータの設定、撮像断面パラメータ
の設定、プリサチュレーションパラメータの設定、撮像モードの選択、プリサチュレーシ
ョン領域設定モードの選択、更には、各種コマンド信号の入力等を行なう入力部７と、撮
像パラメータと撮像断面パラメータに基づきＭＲＩ撮像のパルスシーケンス繰り返し周期
（ＴＲ）内におけるカバレージを設定するカバレージ設定部８を備え、更に、入力部７に
て設定された撮像パラメータ、撮像断面パラメータ及びプリサチュレーションパラメータ
に基づき、前記被検体の関心領域における撮像断面及びプリサチュレーション領域を示す
表示データ（以下では、スキャンプランデータと呼ぶ。）やカバレージ設定部８によって
設定された複数のカバレージの各々における撮像断面及びプリサチュレーション領域を示
す表示データ（以下では、カバレージデータと呼ぶ。）を生成する撮像位置データ生成部
９と、画像データ生成部６が生成した画像データや撮像位置データ生成部９が生成したス
キャンプランデータ及びカバレージデータ等を表示する表示部１０と、ＭＲＩ装置５００
における上述の各ユニットを統括的に制御する制御部１１を備えている。
【００１６】
静磁場発生部１は、例えば、常伝導磁石あるいは超電導磁石等によって構成される主磁
石１１と、この主磁石１１に電流を供給する静磁場電源１２を備え、図示しないガントリ
の撮像野に配置された被検体１５０に対して強力な静磁場を形成する。尚、上述の主磁石
１１は、永久磁石によって構成されていてもよい。
【００１７】
一方、傾斜磁場発生部２は、互いに直交するＸ軸方向、Ｙ軸方向及びＺ軸方向に対して
傾斜磁場を形成する傾斜磁場コイル２１と、傾斜磁場コイル２１の各々に対してパルス電
流を供給する傾斜磁場電源２２を備えている。
【００１８】
傾斜磁場電源２２は、制御部１１から供給されたシーケンス制御信号に基づき被検体１
５０が置かれた撮像野に対して符号化を行なう。即ち、傾斜磁場電源２２は、シーケンス
制御信号に基づいてｘ軸方向，ｙ軸方向及びｚ軸方向の傾斜磁場コイル２１に供給するパ
ルス電流を制御することにより各々の方向に対して傾斜磁場を形成する。このとき、ｘ軸
方向，ｙ軸方向及びｚ軸方向の傾斜磁場は合成されて互いに直交するスライス選択傾斜磁
場Ｇｓ、位相エンコード傾斜磁場Ｇe及び読み出し（周波数エンコード）傾斜磁場Ｇｒが
所望の方向に形成され、これらの傾斜磁場は、主磁石１１によって形成された静磁場に重
畳されて被検体１５０に印加される。
【００１９】
次に、送受信部３は、被検体１５０に対してＲＦパルスを照射する送信コイル３１及び
送信部３２と、被検体１５０にて発生したＭＲ信号を受信する受信コイル３３及び受信部
３４を有している。但し、送信コイル３１の機能と受信コイル３３の機能を１つのコイル
で兼ね備えた送受信コイルを用いてもよい。
【００２０】
送信部３２は、制御部１１の後述するシーケンス制御部１１２から供給されたシーケン
ス制御信号に基づき、主磁石１１の静磁場強度によって決定される磁気共鳴周波数（ラー
モア周波数）と同じ周波数の搬送波を有し所定の選択励起波形で変調されたＲＦパルス電
流を生成する。又、送信コイル３１は、送信部３２から供給されたＲＦパルス電流によっ
て駆動され被検体１５０の撮像部位に対してＲＦパルスを照射する。
【００２１】
一方、受信コイル３３は、被検体１５０が発生したＭＲ信号を高感度で検出するために
、例えば、複数のコイル群が配列された所謂アレイコイルによって構成されている。又、
受信部３４は、図示しない複数チャンネルの中間周波変換回路、位相検波回路、増幅回路
、フィルタリング回路及びＡ／Ｄ変換器を備え、受信コイル３３が検出した微小なＭＲ信
号を中間周波数に変換し、更に、位相検波、フィルタリング等の信号処理を行った後Ａ／
Ｄ変換を行なう。
【００２２】
そして、主磁石１１、傾斜磁場コイル２１、送信コイル３１及び受信コイル３３は、Ｍ
ＲＩ装置５００の図示しないガントリに設けられ、このガントリの中央部には撮像野が形
成される。即ち、ガントリの中心には天板４と共に被検体１５０が挿入される撮像野が設
けられ、この撮像野の周囲には受信コイル３３、送信コイル３１、傾斜磁場コイル２１及
び主磁石１１がｚ軸を共軸として同心円状に配置されている。
【００２３】
次に、天板４は、ガントリの近傍に設置された図示しない寝台の上面においてＺ軸方向
にスライド自在に取り付けられ、天板４に載置された被検体１５０を体軸方向に移動する
ことによりその関心領域を撮像野に設定する。この場合、前記関心領域及びその周囲に設
けられた受信コイル３３が撮像野の略中央部に位置するように天板４の体軸方向への移動
が制御される。
【００２４】
一方、天板移動機構部５は、例えば、上述の寝台に取り付けられ、制御部１１から供給
される天板移動制御信号に基づいて駆動信号を生成し、この駆動信号により天板４を体軸
方向へ所定速度で移動する。
【００２５】
次に、画像データ生成部６は、ＭＲ信号記憶部６１と、高速演算部６２と、画像データ
記憶部６３を備え、ＭＲ信号記憶部６１には、送受信部３の受信部３４において中間周波
変換、位相検波、更にはＡ／Ｄ変換されたパイロット撮像及び本撮像におけるＭＲ信号が
保存される。
【００２６】
一方、高速演算部６２は、ＭＲ信号記憶部６１から読み出したパイロット撮像時のＭＲ
信号に対し２次元フーリエ変換による画像再構成処理を行なって第１の画像データ（以下
では、位置決め用画像データと呼ぶ。）を生成し、更に、本撮像時のＭＲ信号に対し同様
の処理を行ない複数カバレージの各々に対して複数の第２の画像データ（以下では、診断
用画像データと呼ぶ。）を生成する。そして、得られた位置決め用画像データ及び診断用
画像データは画像データ記憶部６３に一旦保存される。
【００２７】
次に、入力部７は、操作卓上に表示パネルやスイッチ、キーボード、マウス等の入力デ
バイスを備えたインタラクティブなインターフェースであり、図２の機能ブロック図に示
すように、パイロット撮像及び本撮像に対する各種撮像パラメータを設定する撮像パラメ
ータ設定部７１と、本撮像における撮像断面の数や形状等の撮像断面パラメータを設定す
る撮像断面パラメータ設定部７２と、本撮像におけるプリサチュレーション領域の数や形
状等を設定するＰＳパラメータ設定部７３を備えている。
【００２８】
更に、入力部７は、パイロット撮像モードあるいは本撮像モードの選択を行なう撮像モ
ード選択部７５と、カバレージの各々におけるプリサチュレーション領域を設定する際の
フリーハンドモードあるいはスペイシャルモードを選択するＰＳ領域設定モード選択部７
６と、カバレージ及びこのカバレージにおけるプリサチュレーション領域の確認を必要と
する診断用画像データ（以下では、所望診断用画像データと呼ぶ。）を選択する画像デー
タ選択部７７等を備えている。又。被検体情報の入力、パイロット撮像及び本撮像におけ
る画像種やパルスシーケンスの設定、天板移動指示信号の入力、各種コマンド信号の入力
等が上述の表示パネルや入力デバイスを用いて行なわれる。
【００２９】
尚、上述の撮像パラメータとして撮像時間、画像ＳＮＲ，ＴＥ（エコー時間），ＴＲ（
パルスシーケンス繰り返し周期），データ収集帯域、ピクセルサイズ、画像マトリクスサ
イズ等が、又、撮像断面パラメータとして撮像断面の断面数、スライスギャップ、配列中
心座標、断面厚、断面長（撮像断面の一辺の長さ）等が、更に、プリサチュレーションパ
ラメータとして、プリサチュレーション領域の厚みや長さ等が上述の撮像パラメータ設定
部７１、撮像断面パラメータ設定部７２及びＰＳパラメータ設定部７３において設定され
る。
【００３０】
更に、画像種としてＴ１強調（Ｔ１Ｗ）画像、Ｔ２強調（Ｔ２Ｗ）画像、ＴＯＦ（Time
of Flight）画像等が、又、パルスシーケンスとしてＦＥ（Field Echo）法、ＳＥ（Spin
Echo）法、ＦＳＥ（Fast Spin Echo）法、ＦＡＳＥ（Fast Asymmetric Spin Echo）法、
ＥＰＩ（Echo Planar Imaging）法等が入力部７において設定される。
【００３１】
次に、カバレージ設定部８は、入力部７から制御部１１の主制御部１１１を介して供給
される撮像パラメータと撮像断面パラメータに基づき、ＭＲＩ撮像におけるパルスシーケ
ンスの繰り返し周期（ＴＲ）の各々におけるカバレージを設定する。例えば、撮像パラメ
ータの設定においてＴＲが１００ｍｓｅｃに、又、撮像断面パラメータの設定において断
面数が８に設定され、１つの撮像断面における１ライン分のＭＲ信号の収集に要する最小
ＴＲが２５ｍｓｅｃの場合、カバレージ設定部８は、２つのカバレージを設定する。即ち
、被検体の関心領域において設定された撮像断面Ｓｄ１乃至Ｓｄ８におけるＭＲ信号をＴ
Ｒ＝１００ｍｓｅｃで収集する場合、カバレージ設定部８は、撮像断面Ｓｄ１乃至Ｓｄ４
を第１のカバレージとして設定し、撮像断面Ｓｄ５乃至Ｓｄ８を第２のカバレージとして
設定する。
【００３２】
次に、撮像位置データ生成部９につき、図２の機能ブロック図を用いて説明する。この
撮像位置データ生成部９は、スキャンプランデータ生成部９１と、カバレージデータ生成
部９２と、撮像位置データ記憶部９３を備えている。
【００３３】
スキャンプランデータ生成部９１は、入力部７の撮像断面パラメータ設定部７２が設定
した撮像断面の断面数、スライスギャップ、配列中心座標、断面厚及び断面長に基づいて
撮像断面データを形成し、更に、ＰＳパラメータ設定部７３が設定したプリサチュレーシ
ョン領域の厚みや長さに基づき前記撮像断面データの周囲にプリサチュレーション領域デ
ータを形成する。そして、画像データ生成部６から供給された位置決め用画像データに上
述の撮像断面データとプリサチュレーション領域データを重畳してスキャンプランデータ
を生成する。
【００３４】
図３は、スキャンプランデータ生成部９１によって生成された断面数が８の場合のスキ
ャンプランデータを示したものであり、このスキャンプランデータでは、撮像断面パラメ
ータに基づいて設定された撮像断面Ｓｄ１乃至Ｓｄ８を示す撮像断面データとプリサチュ
レーションパラメータに基づいて設定されたプリサチュレーション領域ＰＳ０ａ及びＰＳ
０ｂを示すプリサチュレーション領域データが、パイロット撮像によって得られた当該被
検体のコロナル断面における位置決め用画像データに重畳して生成されている。
【００３５】
尚、図３では、被検体の体軸方向に対し断面厚ａと断面長ｂを有したＭ（Ｍ＝８）枚の
撮像断面Ｓｄ１乃至Ｓｄ８がスライスギャップｄで配列され、更に、撮像断面Ｓｄ１から
頭部方向に所定距離ｒａだけ離れた位置にプリサチュレーション領域ＰＳ０ａが、又、撮
像断面Ｓｄ８から脚部方向に所定距離ｒｂだけ離れた位置にプリサチュレーション領域Ｐ
Ｓ０ｂが配置されているが、断面数Ｍの値や撮像断面の配列方向に対するプリサチュレー
ション領域ＰＳ０ａ及びＰＳ０ｂの位置は上述に限定されない。
【００３６】
図２に戻って、カバレージデータ生成部９２は、カバレージ設定部８によって設定され
たカバレージの情報及び入力部７の撮像断面パラメータ設定部７２において設定された撮
像断面パラメータに基づいて形成した撮像断面データと、ＰＳパラメータ設定部７３によ
って設定されたプリサチュレーションパラメータに基づいて形成したプリサチュレーショ
ン領域データとを合成してカバレージデータを生成する。
【００３７】
次に、カバレージデータ生成部９２によって生成されるカバレージデータの具体例につ
き図４を用いて説明する。図４（ａ）は、上述のスキャンプランデータ（図３参照）にお
ける撮像断面Ｓｄ１乃至Ｓｄ８の撮像断面データとプリサチュレーション領域ＰＳ０ａ及
びＰＳ０ｂのプリサチュレーション領域データを示しており、図４（ｂ）は、カバレージ
データにおける撮像断面データとプリサチュレーション領域データを示している。尚、こ
こでも、撮像パラメータの設定においてＴＲが１００ｍｓｅｃに、又、撮像断面パラメー
タの設定において断面数が８に設定され、１つの撮像断面におけるＭＲ信号の収集に要す
る最小ＴＲが２５ｍｓｅｃの場合について示しているがこれに限定されない。
【００３８】
即ち、カバレージデータ生成部９２は、カバレージ設定部８から供給される第１のカバ
レージに関する情報、撮像断面パラメータ設定部７２から供給される撮像断面パラメータ
、ＰＳパラメータ設定部７３から供給されるプリサチュレーションパラメータに基づき、
第１のカバレージにおける撮像断面Ｓｄ１乃至Ｓｄ４を示す撮像断面データとプリサチュ
レーション領域ＰＳ０ａ及びＰＳ０ｂを示すプリサチュレーション領域データとを合成し
て第１のカバレージデータを生成する。
【００３９】
同様にして、カバレージデータ生成部９２は、カバレージ設定部８から供給される第２
のカバレージに関する情報や上述の撮像断面パラメータ及びプリサチュレーションパラメ
ータに基づき、第２のカバレージにおける撮像断面Ｓｄ５乃至Ｓｄ８を示す撮像断面デー
タとプリサチュレーション領域ＰＳ０ａ及びＰＳ０ｂを示すプリサチュレーション領域デ
ータとを合成して第２のカバレージデータを生成する。
【００４０】
尚、図４は、ＰＳ領域設定モードとしてフリーハンドモードが選択された場合のカバレ
ージデータを示しており、フリーハンドモードの選択により、スキャンプランデータにお
いて形成されたプリサチュレーション領域データと同様のプリサチュレーション領域デー
タが第１のカバレージデータ及び第２のカバレージデータにおいて形成される。
【００４１】
一方、図５は、ＰＳ領域設定モードとしてスペイシャルモードが選択された場合のカバ
レージデータを示しており、スペイシャルモードの選択により、撮像断面Ｓｄ１乃至Ｓｄ
４の上端部及び下端部に隣接したプリサチュレーション領域ＰＳ１ａ及びＰＳ１ｂからな
るプリサチュレーション領域データが第１のカバレージデータにおいて形成され、撮像断
面Ｓｄ５乃至Ｓｄ８の上端部及び下端部に隣接したプリサチュレーション領域ＰＳ２ａ及
びＰＳ２ｂからなるプリサチュレーション領域データが第２のカバレージデータにおいて
形成される。この場合、夫々のプリサチュレーション領域は、配列された撮像断面の上端
部及び下端部から所定距離だけ離れた位置に自動設定してもよく、操作者が入力部７の入
力デバイスを用い任意に設定あるいは更新しても構わない。
【００４２】
又、図４及び図５では、画像データ生成部６から供給される位置決め用画像データに上
述の撮像断面データとプリサチュレーション領域データとを重畳して第１のカバレージデ
ータ及び第２のカバレージデータを生成する場合について示したが、撮像断面データ及び
プリサチュレーション領域データによって第１のカバレージデータ及び第２のカバレージ
データを生成してもよい。
【００４３】
再び図２に戻って、撮像位置データ記憶部９３は、スキャンプランデータ生成部９１に
よって生成されたスキャンプランデータ（図３参照）とカバレージデータ生成部９２によ
って生成された第１のカバレージデータ及び第２のカバレージデータ（図４（ｂ）及び図
５（ｂ）参照）を一旦保存する。
【００４４】
次に、表示部１０は、図示しない表示データ生成部とデータ変換部とモニタを備え、画
像データ生成部６において生成された撮像断面Ｓｄ１乃至Ｓｄ８における診断用画像デー
タＰｃ１乃至Ｐｃ８、撮像位置データ生成部９のスキャンプランデータ生成部９１におい
て生成されたスキャンプランデータ、更には、カバレージデータ生成部９２において生成
されたカバレージデータの表示を行なう。このとき、前記表示データ生成部は、上述の各
ユニットから供給される各種パラメータ情報、診断用画像データＰｃ１乃至Ｐｃ８、スキ
ャンプランデータ及びカバレージデータを合成することにより本撮像前の所望撮像断面に
対するカバレージやプリサチュレーション領域の確認を目的とした表示データ（第１の表
示データ）を生成し、更に、本撮像によって得られた所望診断用画像データに対するカバ
レージやプリサチュレーション領域の確認を目的とした表示データ（第２の表示データ）
を生成する。次いで、前記データ変換部は、上述の第１の表示データ及び第２の表示デー
タを所定の表示フォーマットに変換した後Ｄ／Ａ変換し、ＣＲＴあるいは液晶パネルから
なる前記モニタに表示する。
【００４５】
次に、スキャンプランデータ及びカバレージデータを含む表示データの具体例につき図
６及び図７を用いて説明する。
【００４６】
図６は、本撮像前の所望撮像断面に対するカバレージ及びプリサチュレーション領域の
確認を目的とした第１の表示データの具体例を示したものであり、この第１の表示データ
の上部領域には、被検体情報、撮像パラメータ、撮像断面パラメータ、プリサチュレーシ
ョンパラメータ等を表示する複数のサブ表示領域からなるパラメータ表示領域Ａ１が形成
されている。一方、第１の表示データの下部領域には、スキャンプランデータを表示する
ためのスキャンプランデータ表示領域Ａ２とカバレージデータを表示するためのカバレー
ジデータ表示領域Ａ３が形成されている。
【００４７】
そして、上述の第１の表示データを表示部１０のモニタにて観察した操作者は、例えば
、入力部７が備えたマウスを用いてパラメータ表示領域Ａ１のサブ表示領域を選択し、更
に、入力部７のキーボードを用いて文字や数値を入力することにより被検体情報の入力や
各種パラメータの設定あるいは更新を行なう。
【００４８】
又、スキャンプランデータ表示領域Ａ２には、上述のパラメータ表示領域において設定
された各種パラメータに基づき撮像位置データ生成部９のスキャンプランデータ生成部９
１が生成したスキャンプランデータ（図３参照）が配置される。そして、表示部１０に表
示された上述のスキャンプランデータに基づき、例えば、撮像断面Ｓｄ２の撮像に対する
カバレージとこのカバレージにおける実際のプリサチュレーション領域を確認する場合、
操作者は、スキャンプランデータにおける撮像断面Ｓｄ２を入力部７の入力デバイスを用
いて選択（クリック）することにより、撮像断面Ｓｄ２が属する第１のカバレージの撮像
断面Ｓｄ１乃至Ｓｄ４とプリサチュレーション領域ＰＳＯａ及びＰＳＯｂが示された第１
のカバレージデータがカバレージデータ表示領域Ａ３に配置される。
【００４９】
一方、図７は、本撮像によって得られた所望診断用画像データに対するカバレージ及び
プリサチュレーション領域の確認を目的とした第２の表示データの具体例を示したもので
あり、この第２の表示データの上部領域には、被検体情報、撮像パラメータ、撮像断面パ
ラメータ、プリサチュレーションパラメータ等を表示する複数のサブ表示領域からなるパ
ラメータ表示領域Ｂ１と、スキャンプランデータを表示するためのスキャンプランデータ
表示領域Ｂ２と、カバレージデータを表示するためのカバレージデータ表示領域Ｂ３が形
成されている。
【００５０】
一方、第２の表示データの下部領域には、本撮像によって得られた撮像断面Ｓｄ１乃至
Ｓｄ８における診断用画像データＰｃ１乃至Ｐｃ８が配列された画像データ表示領域Ｂ４
が形成されている。但し、本撮像終了直後の第２の表示データにおいてカバレージデータ
は未だ配置されていない。
【００５１】
そして、例えば、診断用画像データＰｃ２の撮像におけるカバレージとプリサチュレー
ション領域を確認する場合、操作者は、表示部１０に表示された上述の第２の表示データ
における診断用画像データＰｃ２を入力部７の入力デバイスを用いて選択（クリック）す
ることにより、撮像断面Ｓｄ２が属する第１のカバレージの撮像断面Ｓｄ１乃至Ｓｄ４と
プリサチュレーション領域ＰＳＯａ及びＰＳＯｂが示された第１のカバレージデータがカ
バレージデータ表示領域Ｂ３に配置される。
【００５２】
次に、図１に示した制御部１１は、主制御部１１１、シーケンス制御部１１２及び天板
移動制御部１１３を備えている。主制御部１１１は、図示しないＣＰＵと記憶回路を備え
、ＭＲＩ装置５００を統括して制御する機能を有している。そして、主制御部１１１の記
憶回路には、入力部７にて入力された入力情報、設定情報及び選択情報等が保存される。
一方、主制御部１１１のＣＰＵは、入力部７から入力された上述の情報に基づくパルスシ
ーケンス情報（例えば傾斜磁場コイル２１や送信コイル３１に供給するパルス電流の大き
さ、供給時間、供給タイミングなどに関する情報）を生成しシーケンス制御部１１２に供
給する。
【００５３】
シーケンス制御部１１２は、主制御部１１１から供給されたパルスシーケンス情報に基
づいてシーケンス制御信号を生成し、傾斜磁場発生部２の傾斜磁場電源２２や送受信部３
の送信部３２を制御する。
【００５４】
又、天板移動制御部１１３は、入力部７から主制御部１１１を介して供給される天板移
動指示信号に基づき、天板４を移動するための駆動信号を生成して天板移動機構部５へ供
給する。
【００５５】
（カバレージデータの表示手順）
次に、所望の撮像断面あるいは所望の診断用画像データの撮像におけるカバレージ及び
プリサチュレーション領域の確認を目的としたカバレージデータの表示手順につき図８の
フローチャートを用いて説明する。尚、以下の手順では、上述と同様にしてスキャンプラ
ンデータにおける撮像断面Ｓｄ１乃至Ｓｄ８の診断用画像データＰｃ１乃至Ｐｃ８を２つ
のカバレージにおいて収集する場合について述べるが、これに限定されるものではない。
【００５６】
ＭＲＩ装置５００の操作者は、入力部７において被検体名や被検体ＩＤ等の被検体情報
を入力した後、パイロット撮像及び本撮像における画像種、パルスシーケンス及び撮像パ
ラメータの設定、本撮像における撮像断面パラメータ及びプリサチュレーションパラメー
タの設定、ＰＳ領域設定モードの選択等を行なう。
【００５７】
次いで、制御部１１の天板移動制御部１１３は、主制御部１１１を介して入力部７から
供給された天板移動指示信号に従って天板移動機構部５に対し駆動信号を供給し、天板４
に載置した被検体１５０の関心領域がＭＲＩ装置５００のガントリに設けられた撮像野の
略中央部に位置するように天板４を体軸方向に移動する（図８のステップＳ１）。
【００５８】
上述の各種設定が終了したならば、操作者は、入力部７の撮像モード選択部７５におい
てパイロット撮像モードを選択した後、撮像開始コマンド信号を入力することにより当該
被検体の関心領域に対するパイロット撮像が開始され（図８のステップＳ２）、例えば、
被検体のコロナル断面（正面から見た縦断面）、サジタル断面（側面から見た縦断面）及
びアキシャル断面（横断面）の各々における画像データの生成と表示が行なわれる。即ち
、入力部７から撮像開始のコマンド信号を受信した制御部１１の主制御部１１１は、シー
ケンス制御部１１２に対し予め設定された画像種、パルスシーケンス及び撮像パラメータ
によるパイロット撮像を行なうための指示信号を供給し、シーケンス制御部１１２は、こ
れらの情報に基づいて制御信号を生成する。そして、この制御信号を傾斜磁場発生部２及
び送受信部３に供給することにより上述の各断面におけるパイロット撮像が行なわれる（
図８のステップＳ３）。
【００５９】
次いで、操作者は、上述のパイロット撮像によって収集された画像データの中から、例
えば、コロナル断面における画像データを位置決め用画像データとして選択する（図８の
ステップＳ４）。
【００６０】
一方、カバレージ設定部８は、入力部７から制御部１１の主制御部１１１を介して供給
される撮像パラメータと撮像断面パラメータに基づき、本撮像におけるカバレージ（即ち
、第１のカバレージ及び第２のカバレージを設定する（図８のステップＳ５）。
【００６１】
次いで、撮像位置データ生成部９のスキャンプランデータ生成部９１は、入力部７の撮
像断面パラメータ設定部７２が設定した撮像断面の断面数Ｍ（Ｍ＝８）、スライスギャッ
プｄ、配列中心座標、断面厚ａ及び断面長ｂに基づいて撮像断面Ｓｄ１乃至Ｓｄ８を有す
る撮像断面データを形成し、更に、ＰＳパラメータ設定部７３が設定したプリサチュレー
ション領域の厚みや長さに基づき前記撮像断面データの周囲にプリサチュレーション領域
ＰＳ０ａ及びＰＳ０ｂを有するプリサチュレーション領域データを形成する。そして、画
像データ生成部６から供給された位置決め用画像データに上述の撮像断面データとプリサ
チュレーション領域データを重畳してスキャンプランデータを生成し、表示部１０のモニ
タに表示する（図８のステップＳ６）。
【００６２】
次に、操作者は、表示部１０に表示されたスキャンプランデータにおける所望撮像断面
（例えばＳｄ２）を入力部７の入力デバイスを用いて選択し、この選択信号を制御部１１
の主制御部１１１を介して受信した撮像位置データ生成部９のカバレージデータ生成部９
２は、カバレージ設定部８から供給されたカバレージ情報、撮像断面パラメータ設定部７
２から供給された撮像断面パラメータ、ＰＳパラメータ設定部７３から供給されたプリサ
チュレーションパラメータに基づき、選択された撮像断面Ｓｄ２が含まれた第１のカバレ
ージにおける撮像断面データとプリサチュレーション領域データとを合成して第１のカバ
レージデータを生成する。そして、得られた第１のカバレージデータを表示部１０に表示
することにより撮像断面Ｓｄ２の本撮像前におけるカバレージ及びプリサチュレーション
領域の確認が行なわれる（図８のステップＳ７）。
【００６３】
上述の確認作業が終了したならば、操作者は、入力部７の撮像モード選択部７５におい
て本撮像モードを選択した後、撮像開始コマンド信号を再度入力することにより（図８の
ステップＳ８）、撮像断面Ｓｄ１乃至Ｓｄ８に対するＭＲ信号の収集がカバレージ単位で
順次行なわれ（図８のステップＳ９）、画像データ生成部６は、第１のカバレージ及び第
２のカバレージにおける撮像断面の各々において収集されたＭＲ信号を再構成処理して診
断用画像データＰｃ１乃至Ｐｃ８を生成する。そして、得られた診断用画像データは、上
述のスキャンプランデータ及び各種パラメータと共に表示部１０において表示される（図
８のステップＳ１０）。
【００６４】
次に、操作者は、表示部１０に表示された診断用画像データＰｃ１乃至Ｐｃ８の中から
所望の診断用画像データ（例えば、Ｐｃ２）を入力部７の入力デバイスを用いて選択し、
この選択信号を制御部１１の主制御部１１１を介して受信した撮像位置データ生成部９の
カバレージデータ生成部９２は、カバレージ設定部８から供給されたカバレージ情報、撮
像断面パラメータ設定部７２から供給された撮像断面パラメータ、ＰＳパラメータ設定部
７３から供給されたプリサチュレーションパラメータに基づき、診断用画像データＰｃ２
が撮像された第１のカバレージにおける複数の撮像断面Ｓｄ１乃至Ｓｄ８を示す撮像断面
データとプリサチュレーション領域ＰＳ０ａ及びＰＳ０ｂを示すプリサチュレーション領
域データとを合成して第２のカバレージデータを生成する。そして、生成した第２のカバ
レージデータを表示部１０に表示することにより所望診断用画像データに対するカバレー
ジ及びプリサチュレーション領域の確認が行なわれる（図８のステップＳ１１）。
【００６５】
以上述べた本発明の実施例によれば、パイロット撮像による位置決め用画像データを用
いて生成されたスキャンプランデータに基づいて複数の撮像断面における診断用画像デー
タの収集を複数のカバレージに分割して行なう際、スキャンプランデータに示された複数
撮像断面の中から所望の撮像断面を特定することにより、この撮像断面の撮像におけるカ
バレージ及びプリサチュレーション領域を容易に把握することができる。
【００６６】
更に、前記複数撮像断面において生成された複数の診断用画像データの中から所望の診
断用画像データを特定することにより、この診断用画像データの生成において適用された
カバレージ及びプリサチュレーション領域の確認も容易に行なうことができる。このため
、精度の高い検査や画像データ分析を効率よく行なうことが可能となる。
【００６７】
以上、本発明の実施例について述べてきたが、本発明は、上述の実施例に限定されるも
のではなく変形して実施してもよい。例えば、撮像断面Ｓｄ１乃至Ｓｄ８に対する撮像を
２つのカバレージに分割して行なう際、上述の実施例では、図４に示したように、撮像断
面Ｓｄ１乃至Ｓｄ４を含む第１のカバレージと撮像断面Ｓｄ５乃至Ｓｄ８を含む第２のカ
バレージとに分割する通常の方式について述べたが、例えば、図９に示すように、撮像断
面Ｓｄ１、Ｓｄ３、Ｓｄ５及びＳｄ７を含む第１のカバレージと撮像断面Ｓｄ２、Ｓｄ４
、Ｓｄ６及びＳｄ８を含む第２のカバレージとに分割する、所謂インターリーブ方式を適
用してもよい。この方法によれば、各カバレージにおける撮像断面のスライスギャップｄ
ｘは上述の実施例におけるスライスギャップｄと比較して増大するため撮像断面間の干渉
が低減し、優れた画像データを生成することが可能となる。
【００６８】
又、上述の実施例では、スキャンプランデータに示された複数撮像断面の中から所望の
撮像断面を特定することにより、この撮像断面の撮像におけるカバレージ及びプリサチュ
レーション領域の把握や確認を行なう場合について述べたが、この方法に限定されない。
例えば、カバレージ設定部８において設定された複数のカバレージ（例えば、第１のカバ
レージ及び第２のカバレージ）の識別情報をスキャンプランデータに付加すると共にこれ
らのカバレージの何れかを選択するカバレージ選択部を入力部７に備え、複数のカバレー
ジ識別情報の中から前記カバレージ選択部によって選択されたカバレージに対する撮像断
面データとプリサチュレーション領域データを合成してカバレージデータを生成しても構
わない。
【００６９】
更に、図６に示した第１の表示データや図７に示した第２の表示データは、スキャンプ
ランデータとカバレージデータとを用いて生成される場合について示したが、例えば、入
力部７において新たに設けられたデータ選択部によって選択されたスキャンプランデータ
あるいはカバレージデータの何れかを用いて第１の表示データ及び第２の表示データを生
成してもよい。
【図面の簡単な説明】
【００７０】
【図１】本発明の実施例におけるＭＲＩ装置の全体構成を示すブロック図。
【図２】同実施例のＭＲＩ装置が備える入力部及び撮像位置データ生成部の機能ブロック図。
【図３】同実施例のスキャンプランデータ生成部が生成するスキャンプランデータを示す図。
【図４】同実施例のカバレージデータ生成部が生成するカバレージデータの具体例を示す図。
【図５】同実施例のカバレージデータ生成部が生成するカバレージデータの他の具体例を示す図。
【図６】同実施例の本撮像前におけるカバレージ及びプリサチュレーション領域の確認を目的とした第１の表示データの具体例を示す図。
【図７】同実施例の本撮像後におけるカバレージ及びプリサチュレーション領域の確認を目的とした第２の表示データの具体例を示す図。
【図８】同実施例におけるカバレージデータの表示手順を示すフローチャート。
【図９】同実施例の変形例におけるカバレージの設定方法を示す図。
【符号の説明】
【００７１】
１…静磁場発生部
１１…主磁石
１２…静磁場電源
２…傾斜磁場発生部
２１…傾斜磁場コイル
２２…傾斜磁場電源
３…送受信部
３１…送信コイル
３２…送信部
３３…受信コイル
３４…受信部
４…天板
５…天板移動機構部
６…画像データ生成部
６１…ＭＲ信号記憶部
６２…高速演算部
６３…画像データ記憶部
７…入力部
７１…撮像パラメータ設定部
７２…撮像断面パラメータ設定部
７３…ＰＳパラメータ設定部
７５…撮像モード選択部
７６…ＰＳ領域設定モード選択部
７７…画像データ選択部
８…カバレージ設定部
９…撮像位置データ生成部
９１…スキャンプランデータ生成部
９２…カバレージデータ生成部
９３…撮像位置データ記憶部
１０…表示部
１１…制御部
１１１…主制御部
１１２…シーケンス制御部
１１３…天板移動制御部
５００…ＭＲＩ装置
【図１】
2008167977.tif 000003
【図２】
2008167977.tif 000004
【図３】
2008167977.tif 000005
【図４】
2008167977.tif 000006
【図５】
2008167977.tif 000007
【図６】
2008167977.tif 000008
【図７】
2008167977.tif 000009
【図８】
2008167977.tif 000010
【図９】
2008167977.tif 000011